(57)【要約】【課題】決済処理を実行するときに操作者の負担を軽減する。【解決手段】情報を表示する表示部と、複数種類の決済処理を実行するための複数の決済処理プログラムを記憶する記憶部と、記憶部に記憶された複数の決済処理プログラムに対応した決済項目のうち、いずれか一または複数の決済項目の表示の禁止を指示する表示禁止指示手段と、複数の決済処理プログラムに対応した決済項目のうち表示禁止指示手段によって表示が禁止された決済項目の表示を禁止し、かつ表示が禁止されていない決済項目を表示した決済選択画面を表示部に表示する表示制御手段と、外部機器から、決済処理を実行させるための決済コマンドを受信したか否かを判断する受信判断手段と、受信判断手段が決済コマンドを受信したと判断した場合、表示制御手段が表示している決済項目から選択された決済項目に対応した決済処理プログラムを起動させて決済処理を実行する決済実行手段と、を備える。【選択図】図８
2015032021.tif 000002
【特許請求の範囲】
【請求項１】
情報を表示する表示部と、
複数種類の決済処理を実行するための複数の決済処理プログラムを記憶する記憶部と、
前記記憶部に記憶された複数の決済処理プログラムに対応した決済項目のうち、いずれか一または複数の決済項目の表示の禁止を指示する表示禁止指示手段と、
前記複数の決済処理プログラムに対応した決済項目のうち前記表示禁止指示手段によって表示が禁止された決済項目の表示を禁止し、かつ表示が禁止されていない決済項目を表示した決済選択画面を前記表示部に表示する表示制御手段と、
外部機器から、前記決済処理を実行させるための決済コマンドを受信したか否かを判断する受信判断手段と、
前記受信判断手段が前記決済コマンドを受信したと判断した場合、前記表示制御手段が表示している前記決済項目から選択された決済項目に対応した前記決済処理プログラムを起動させて前記決済処理を実行する決済実行手段と、
を備えた決済端末。
【請求項２】
特定の一つの前記決済項目を除いたすべての前記決済項目の表示の禁止を一括して指示する一括禁止指示手段を備え、
前記表示制御手段は、前記一括禁止指示手段によって特定の一つの前記決済項目を除いたすべての前記決済項目の表示の禁止を一括して指示された場合、前記決済選択画面の表示を禁止し、
前記決済実行手段は、前記一括禁止指示手段によって特定の一つの前記決済項目を除いたすべての前記決済項目の表示の禁止を一括して指示された場合、前記特定の一つの前記決済項目が選択されたものとみなして当該一つの決済項目に対応した前記決済処理プログラムを起動させて前記決済処理を実行する、
請求項１に記載の決済端末。
【請求項３】
前記表示禁止指示手段は、前記表示制御手段によって表示された前記決済項目から禁止する前記決済項目を個別に指示可能である、
請求項１または２に記載の決済端末。
【請求項４】
前記記憶部は、新たな決済処理プログラムを追加記憶可能であり、
前記表示制御手段は、追加された前記決済処理プログラムに対応した前記決済項目を前記表示部に表示する、
請求項１乃至３のいずれか一に記載の決済端末。
【請求項５】
前記受信判断手段が前記決済処理を実行する決済コマンドを受信したと判断した場合、当該決済処理の実行コマンドを受信したことを示すコマンド受信表示を前記表示部に表示するコマンド受信表示手段、
をさらに備えた請求項１乃至４のいずれか一に記載の決済端末。
【請求項６】
情報を表示する表示部と、複数種類の決済処理を実行するための複数の決済処理プログラムを記憶する記憶部とを備えたコンピュータに、
前記記憶部に記憶された複数の決済処理プログラムに対応した決済項目のうち、いずれか一または複数の決済項目の表示の禁止を指示する表示禁止指示手段と、
前記複数の決済処理プログラムに対応した決済項目のうち前記表示禁止指示手段によって表示が禁止された決済項目の表示を禁止し、かつ表示が禁止されていない決済項目を表示した決済選択画面を前記表示部に表示する表示制御手段と、
外部機器から、前記決済処理を実行させるための決済コマンドを受信したか否かを判断する受信判断手段と、
前記受信判断手段が前記決済コマンドを受信したと判断した場合、前記表示制御手段が表示している前記決済項目から選択された決済項目に対応した前記決済処理プログラムを起動させて前記決済処理を実行する決済実行手段と、
を実現させるためのプログラム。
【発明の詳細な説明】
【技術分野】
【０００１】
本発明の実施形態は、決済端末およびプログラムに関する。
【背景技術】
【０００２】
現金以外の決済手段として例えばクレジット決済がある。現金での決済はＰＯＳ端末で処理されるが、クレジット決済はＰＯＳ端末に接続された決済端末で処理される。決済端末は、ＰＯＳ端末から受信したクレジット決済情報に基づいてクレジット決済処理を実行する。
【０００３】
近年、決済の種類の多様化に伴い、クレジット決済以外の決済処理が増加している。例えば、デビット決済、電子マネー決済等である。決済端末は、これらの決済についても処理するため、決済端末で決済の種類を選択できるように、使用できるすべての種類の決済項目を表示した決済選択画面を表示するようになっている。
【０００４】
ところが、決済端末が表示する決済の種類のうち、多くの顧客が使用する決済は１〜２種類であることが多く、他の決済はあまり使用されない。しかしながら、決済端末の操作者は、決済端末に表示されたすべての決済項目の中から使用する決済項目を選択して、操作をしなければならず、操作者の負担の増加となっている。
【発明の概要】
【発明が解決しようとする課題】
【０００５】
本発明が解決しようとする課題は、決済処理を実行するときに、操作者の負担を軽減する決済端末およびプログラムを提供することである。
【課題を解決するための手段】
【０００６】
実施形態の決済端末は、情報を表示する表示部と、複数種類の決済処理を実行するための複数の決済処理プログラムを記憶する記憶部と、前記記憶部に記憶された複数の決済処理プログラムに対応した決済項目のうち、いずれか一または複数の決済項目の表示の禁止を指示する表示禁止指示手段と、前記複数の決済処理プログラムに対応した決済項目のうち前記表示禁止指示手段によって表示が禁止された決済項目の表示を禁止し、かつ表示が禁止されていない決済項目を表示した決済選択画面を前記表示部に表示する表示制御手段と、外部機器から、前記決済処理を実行させるための決済コマンドを受信したか否かを判断する受信判断手段と、前記受信判断手段が前記決済コマンドを受信したと判断した場合、前記表示制御手段が表示している前記決済項目から選択された決済項目に対応した前記決済処理プログラムを起動させて前記決済処理を実行する決済実行手段と、を備える。
【０００７】
実施形態のプログラムは、情報を表示する表示部と、複数種類の決済処理を実行するための複数の決済処理プログラムを記憶する記憶部とを備えたコンピュータに、前記記憶部に記憶された複数の決済処理プログラムに対応した決済項目のうち、いずれか一または複数の決済項目の表示の禁止を指示する表示禁止指示手段と、前記複数の決済処理プログラムに対応した決済項目のうち前記表示禁止指示手段によって表示が禁止された決済項目の表示を禁止し、かつ表示が禁止されていない決済項目を表示した決済選択画面を前記表示部に表示する表示制御手段と、外部機器から、前記決済処理を実行させるための決済コマンドを受信したか否かを判断する受信判断手段と、前記受信判断手段が前記決済コマンドを受信したと判断した場合、前記表示制御手段が表示している前記決済項目から選択された決済項目に対応した前記決済処理プログラムを起動させて前記決済処理を実行する決済実行手段と、を実現させる。
【図面の簡単な説明】
【０００８】
【図１】図１は、実施形態のシステム構成を示す図である。
【図２】図２は、決済端末の外観を示す平面図である。
【図３】図３は、決済端末のハードウェア構成を示すブロック図である。
【図４】図４は、決済端末のメモリの一部を示すメモリマップである。
【図５】図５は、決済端末の機能構成を示す機能ブロック図である。
【図６】図６は、決済端末の制御処理の流れを示すフローチャートである。
【図７】図７は、決済端末の表示の一例を示す図である。
【図８】図８は、決済端末の制御処理の流れを示すフローチャートである。
【図９】図９は、決済端末の他の表示の一例を示す図である。
【図１０】図１０は、決済端末のさらに他の表示の一例を示す図である。
【発明を実施するための形態】
【０００９】
以下、添付図面を参照して、決済端末及びプログラムの実施形態を詳細に説明する。なお、以下に説明する実施形態は、決済端末及びプログラムの一実施形態であって、その構成や仕様等を限定するものではない。本実施形態は、スーパーマーケット等の店舗に導入された、取引の決済を行う決済端末への適用例である。
【００１０】
図１は、本実施形態に係るＰＯＳシステム１の構成を示す図である。同図に示すように、ＰＯＳシステム１は、販売登録装置としてのＰＯＳ端末２と、決済端末３と、センターサーバ５とを有する。また、決済端末３には、電子マネー端末４が接続されている。ＰＯＳシステム１において、決済端末３と電子マネー端末４との間は、有線又は無線により通信可能に接続されている。また、決済端末３とＰＯＳ端末２やセンターサーバ５との間は、有線又は無線により通信可能に接続されている。
【００１１】
決済端末３は、ＩＣカードや磁気カード等からカード情報を読み取り、カード会社のサーバと通信することでカード決済処理を行う決済機能を有する装置である。
【００１２】
電子マネー端末４は、電子的に金銭情報を記憶した非接触型のカードに対し、近距離無線通信技術を用いてアクセスし、カードに記憶された金銭情報を用いて決済処理を実行する端末である。
【００１３】
ＰＯＳ端末２は、顧客が購入する商品の会計処理を行う装置であり、現金決済の場合に一取引の決済処理を行う。また、クレジットカードやデビットカード等のカード決済を行う場合には、ＰＯＳ端末２は決済端末３と連動して一取引の決済処理（カード決済処理）を行う。
【００１４】
ＰＯＳ端末２は、図１に示すように、ＰＯＳ端末２の本体２１の上部には、店員用の表示部２２と客用の表示部２３とが設けられている。各表示部２２、２３は、ＬＣＤ（Liquid  Crystal  Display）或いはタッチパネルを表面に配設したＬＣＤによって構成され、商品名や商品の金額、一取引の合計金額等を表示する。また、本体２１の上面には、キーボード２４が配設されており、現金決済又はクレジット決済等の決済方法を選択する現金決済キーやクレジット決済キー等が設けられている。さらに、本体２１の内部にはレシート等を印刷するプリンタ２５が設けられている。プリンタ２５によって印刷されたレシート用紙は、本体２１の上部に設けられたレシート発行口２６から発行される。
【００１５】
また、センターサーバ５は、決済端末３からの決済処理の認証要求に対し、カードのネガティブチェック等を行い、その後、認証を実行するためのコマンドを決済端末３に送信する。
【００１６】
次に決済端末３について詳細に説明する。図２は、決済端末３の外観を示す図であり、図３は決済端末３のハードウェア構成を示すブロック図である。図２において、決済端末３の本体３１の側部には電源スイッチ３６が設けられている。また、本体３１の上部には、本体３１に対して開閉可能な上面パネル３７が設けられている。上面パネル３７を開くことで本体３１の内部にロール状のレシート用紙をセットすることができる。そして、この上面パネル３７の表面には、操作部３３であるタッチパネルを表面に配設した表示部３２が設けられている。
【００１７】
本体３１の側面上部には、決済用のカードから当該カードに格納されている情報を読み取るカード読取部３４が設けられている。決済用のカードとしては、例えば、クレジットカードやデビットカード等を用いることができる。
【００１８】
本体３１内部には、上述のレシート用紙に決済に関する情報や売上レポート等を印字する印字部５７（図３参照）が備えられている。印字後のレシート用紙は、本体３１と上面パネル３７との間に設けられているレシート発行口３５から発行される。
【００１９】
図３は、決済端末３のハードウェア構成を示すブロック図である。決済端末３は、各部を制御するための制御部１００を備えている。制御部１００は、図３に示すように、各部を集中的に制御するＣＰＵ（Central  Processing  Unit）５１に、アドレスバス、データバス等のバスライン５５を介して、ＲＯＭ（Read  Only  Memory）５２と、ＲＡＭ（Random  Access  Memory）５３を接続して構成されている。また、制御部１００には、メモリ部５４とコントローラ５６が、バスライン５５を介して接続されている。制御部１００は、ＣＰＵ５１が、メモリ部５４に記憶されＲＡＭ５３に展開された制御プログラム５４１に従って動作することによって、後述する制御処理を実行する。制御プログラム５４１は、決済端末３の保守設定処理時に用いられる保守員専用アプリケーションと、決済処理時に用いられる決済用プログラムとを含んでいる。
【００２０】
メモリ部５４は、電源を切っても記憶情報が保持されるフラッシュメモリ等の不揮発性メモリであって、制御プログラム５４１を含むプログラム等を記憶する。またメモリ部５４は、図４で示す記憶部５４２を記憶する。また、ＲＡＭ５３は、メモリ部５４から読み出した情報を一時的に記憶する。
【００２１】
また、コントローラ５６は、表示部３２、操作部３３とを接続している。コントローラ５６は、制御部１００からの指令に基づいて各種制御を実行する。表示部３２は、キーの画像を含む各種情報を表示する。操作部３３は、表示部３２上に設けられたタッチパネルであり、表示部３２に表示されたキーに対応する位置のタッチパネルをタッチすることで、各種のキー操作を実行する。
【００２２】
また、コントローラ５６は、印字部５７とカード読取部３４を接続している。印字部５７は、本体３１の内部に収納したレシート用紙の先端を引き出して、例えばサーマルヘッドを使用して決済情報等をレシート用紙に印字する。カード読取部３４は、磁気的あるいは電気的に決済カードに記憶されているカード情報を読み取る。
【００２３】
また、バスライン５５は、通信Ｉ／Ｆ（Interface）５９、６０、６１を接続している。通信Ｉ／Ｆ５９は、ＰＯＳ端末２と接続している。通信Ｉ／Ｆ６０は、電子マネー端末４と接続している。通信Ｉ／Ｆ６１は、センターサーバ５と接続している。決済端末３は、各通信Ｉ／Ｆ５９、６０、６１を介して、ＰＯＳ端末２や電子マネー端末４やセンターサーバ５と情報の送受信を行う。
【００２４】
図４は、決済端末３のメモリ部５４の記憶部５４２を示すメモリマップである。図４において、記憶部５４２は、マルチ禁止フラグ部５４２１、個別禁止フラグ部５４２２、決済選択画面情報部５４２３、個別禁止キー部５４２４を備える。
【００２５】
マルチ禁止フラグ部５４２１は、後述するマルチ表示禁止キー７２が操作されたときにフラグ「１」をセットし、マルチ表示禁止キー７２が非操作のときにフラグ「０」をセットする。
【００２６】
個別禁止フラグ部５４２２は、後述する個別表示禁止キー７３、７４、７５、７６のうちのいずれかのキーまたは複数のキーが操作されたときにフラグ「１」をセットし、個別表示禁止キー７３、７４、７５、７６のいずれもが非操作のときにフラグ「０」をセットする。
【００２７】
決済選択画面情報部５４２３は、表示部３２に表示される、後述する決済選択画面の情報を記憶する。
【００２８】
個別禁止キー部５４２４は、後述するステップＳ２１で禁止の操作がされた個別禁止キーの情報を記憶する。
【００２９】
次に、図５〜図１０を用いて、実施形態の決済端末３の制御について説明する。図５は、決済端末３の機能構成を示す機能ブロック図である。決済端末３は、制御部１００がメモリ部５４に記憶された制御プログラム５４１等のプログラムに従い動作することで、表示禁止指示手段１０１、表示制御手段１０２、受信判断手段１０３、決済実行手段１０４、一括禁止指示手段１０５、コマンド受信表示手段１０６を実現する。
【００３０】
表示禁止指示手段１０１は、記憶部に記憶された複数の決済処理プログラムに対応した決済項目のうち、いずれか一または複数の決済項目の表示の禁止を指示する機能を有する。
【００３１】
表示制御手段１０２は、複数の決済処理プログラムに対応した決済項目のうち表示禁止指示手段１０１によって表示が禁止された決済項目の表示を禁止し、かつ表示が禁止されていない決済項目を表示した決済選択画面７１を表示部３２に表示する機能を有する。
【００３２】
受信判断手段１０３は、外部機器であるＰＯＳ端末２から、決済処理を実行させるための決済コマンドを受信したか否かを判断する機能を有する。
【００３３】
決済実行手段１０４は、受信判断手段１０３が決済コマンドを受信したと判断した場合、表示制御手段１０２が表示している決済項目から選択された決済項目に対応した決済処理プログラムを起動させて決済処理を実行する機能を有する。
【００３４】
一括禁止指示手段１０５は、特定の一つの決済項目を除いたすべての決済項目の表示の禁止を一括して指示する機能を有する。
【００３５】
コマンド受信表示手段１０６は、受信判断手段１０３が決済処理を実行する決済コマンドを受信したと判断した場合、当該決済処理の実行コマンドを受信したことを示すコマンド受信表示を表示部３２に表示する機能を有する。
【００３６】
図６は、決済端末３の制御処理の流れを示すフローチャートである。より詳細には、図６は、サービスマン等が、決済端末３の保守点検を実行する際に、決済項目を禁止したり追加するときの制御処理の流れを示すフローチャートである。
【００３７】
図６において、制御部１００は、表示部３２に決済設定画面７１を表示する（ステップＳ１１）。図７に制御部１００が表示部３２に表示した決済設定画面７１の例を示す。図７において、制御部１００は、表示部３２に、マルチ表示禁止キー７２と、個別禁止キーとしてのクレジットカード禁止キー７３とデビットカード禁止キー７４とＸＹカード禁止キー７５と電子マネーカード禁止キー７６を表示する。制御部１００は、操作された各キーに対応して次の決済処理を禁止する。
【００３８】
制御部１００は、マルチ表示禁止キー７２が操作されると、クレジットカードでの決済以外の決済を禁止する。制御部１００は、クレジットカード禁止キー７３が操作されると、クレジットカードでの決済を禁止する。制御部１００は、デビットカード禁止キー７４が操作されると、デビットカードでの決済を禁止する。制御部１００は、ＸＹカード禁止キー７５が操作されると、ＸＹカードでの決済を禁止する。制御部１００は、電子マネーカード禁止キー７６が操作されると、電子マネーカードでの決済を禁止する。
【００３９】
図６の説明に戻る。制御部１００（表示禁止指示手段１０１、一括禁止指示手段１０５）は、マルチ表示禁止キー７２が操作されたか否かを判断する（ステップＳ１２）。操作されたと判断した場合は（ステップＳ１２のＹｅｓ）、制御部１００は、マルチ禁止フラグ部５４２１のマルチ禁止フラグを「１」にセットする（ステップＳ１３）。また、制御部１００は、個別禁止フラグ部５４２２の個別禁止フラグを「０」にセットする（ステップＳ１４）。このようにすることで、制御部１００は、クレジットカードでの決済以外の決済処理を禁止する。
【００４０】
また、ステップＳ１２において、マルチ表示禁止キー７２が操作されていないと判断した場合は（ステップＳ１２のＮｏ）、次に制御部１００（表示禁止指示手段１０１）は、いずれか一つまたは複数の個別禁止キーが操作されたか否かを判断する（ステップＳ２１）。操作されたと判断した場合は（ステップＳ２１のＹｅｓ）、制御部１００は、操作された個別禁止キーの情報を、メモリ部５４の個別禁止キー部５４２４に記憶する（ステップＳ２２）。そして制御部１００は、個別禁止フラグ部５４２２の個別禁止フラグを「１」にセットする（ステップＳ２３）。また、制御部１００は、マルチ禁止フラグ部５４２１のマルチ禁止フラグを「０」にセットする（ステップＳ２４）。このようにして、制御部１００は、個別禁止キー部５４２４に記憶された決済項目の決済処理を禁止する。
【００４１】
また、ステップＳ２１において、個別禁止キーが操作されていないと判断した場合は（ステップＳ２１のＮｏ）、次に制御部１００は、決済項目を追加するか否かを判断する（ステップＳ３１）。保守点検業務において、新たに決済項目を追加する場合、メモリ部５４の制御プログラム５４１に新たな決済プログラムが追加される。なお、決済プログラムの追加の方法としては、例えば本部サーバ等からのリモートメンテナンスにより追加されることもある。制御部１００は、メモリ部５４に新たな制御プログラムが追加されたかを調査することで、新たな決済項目を追加するか否かを判断する。
【００４２】
追加すると判断した場合は（ステップＳ３１のＹｅｓ）、追加した決済項目に戴する決済処理プログラムをメモリ部５４に記憶する（ステップＳ３２）。そして制御部１００は、追加する決済項目を、決済選択画面情報部５４２３に記憶されている決済選択画面の情報を更新して、新たな決済項目を追加する（ステップＳ３３）。また、追加しなくてもよいと判断した場合は（ステップＳ３１のＮｏ）、制御部１００はその他の保守点検業務を実行する（ステップＳ３４）。
【００４３】
図８は、決済処理時における決済端末３の制御処理の流れを示すフローチャートである。図８において、制御部１００（受信判断手段１０３）は、ＰＯＳ端末２から決済コマンドを受信したか否かを判断する（ステップＳ４１）。実施形態では、ＰＯＳ端末２において現金以外の決済が選択された場合、ＰＯＳ端末２は、カードで決済処理を実行するための決済コマンドを送信する。
【００４４】
制御部１００は、ＰＯＳ端末２から決済コマンドを受信したと判断した場合は（ステップＳ４１のＹｅｓ）、制御部１００（コマンド受信表示手段１０６）は、表示部３２に、決済コマンドを受信したことを示すコマンド受信表示９０を行う（ステップＳ４２）。そして制御部１００は、マルチ禁止フラグ部５４２１のマルチフラグの状態と個別禁止フラグ部５４２２の個別フラグの状態を確認する（ステップＳ４３）。そして制御部１００は、マルチフラグが「１」であるか否かを判断する（ステップＳ４４）。そして制御部１００は、個別フラグが「１」であるかを判断する（ステップＳ４４のＮｏの場合のステップＳ５１）。制御部１００（表示制御手段１０２）は、マルチフラグが「１」でない場合でかつ個別フラグが「１」でない場合（すなわち両フラグとも「０」で合える場合）は、すべての決済項目を表示した決済選択画面９２を表示部３２に表示する（ステップＳ５５）。
【００４５】
図９に、制御部１００がステップＳ５５で表示する決済選択画面９２の一例を示す。図９において、制御部１００は、表示部３２に、業務の種類を示す業務キー８１、８２、８３、８４、８５を表示する。また制御部１００は、決済項目の種類をエリア９１に表示する。図９の例では、制御部１００は、エリア９１に、クレジット決済８６、デビット決済８７、ＸＹカード決済８８、電子マネー決済８９の４種類の決済項目を表示している。したがって、決済端末３は、この４種類のカードによって決済処理を実行できる。すなわち、メモリ部５４は、クレジット決済処理プログラム、デビット決済処理プログラム、ＸＹ決済処理プログラム、電子マネー決済処理プログラムの４種類の決済処理プログラムを記憶している。
【００４６】
また、制御部１００（コマンド受信表示手段１０６）は、決済コマンドを受信したことを示すコマンド受信表示９０を、表示部３２に表示する。この表示は、制御部１００が、ステップＳ４１において、ＰＯＳ端末２から決済コマンドを受信したと判断した場合に表示する。
【００４７】
操作者は、顧客が希望する決済項目をタッチして操作する。すると、制御部１００は、操作された決済項目を選択する。そして制御部１００は、メモリ部５４から、選択された決済項目に対応した決済処理プログラムを読み出して起動する。操作者は、指示されたタイミングでカード読取部３４にカードを通す。電子マネー決済の場合は、電子マネー端末４にカードをかざす。すると制御部１００は、顧客が希望する決済処理を実行する。
【００４８】
図８の説明に戻る。一方、制御部１００が、マルチフラグが「１」であると判断した場合は（ステップＳ４４のＹｅｓ）、制御部１００は、クレジット決済以外の決済項目を禁止して自動的にクレジット決済の決済項目を選択する（ステップＳ４５）。そして制御部１００（表示制御手段１０２）は、表示部３２への決済選択画面９２の表示を禁止する（ステップＳ４６）。この状態では、制御部１００は、決済選択画面９２を表示部３２に表示しない。続いて制御部１００（決済実行手段１０４）は、クレジット決済８６が操作されたものとみなして、クレジットの決済処理プログラムをメモリ部５４から読み出して起動し、当該プログラムに従ってクレジット決済処理を実行する（ステップＳ４７）。すなわち制御部１００は、マルチフラグが「１」の場合に決済コマンドを受信した場合、決済選択画面９２を表示することなく自動的にクレジット決済処理を実行する。操作者は、決済の種類を選択する操作が必要なく、所定のタイミングでクレジットカードをカード読取部３４に通すだけでいい。このような決済端末３は、操作者に負担をかけることなく、自動的に決済処理を実行する。
【００４９】
また、ステップＳ４４において、マルチフラグが「１」でないと判断した場合は（ステップＳ４４のＮｏ）、次に制御部１００は、個別フラグが「１」であるか否かを判断する（ステップＳ５１）。個別フラグが「１」であると判断した場合は（ステップＳ５１のＹｅｓ）、制御部１００は、メモリ部５４の個別禁止キー部５４２４に記憶している個別禁止キーの情報を読み出して、この（これらの）決済項目の選択を禁止する（ステップＳ５２）。そして制御部１００（表示制御手段１０２）は、読み出したこれらの個別禁止キーの情報に対応した決済項目の表示を禁止する（ステップＳ５３）。そして制御部１００は、禁止した決済項目以外の決済項目を表示した決済選択画面９２を表示部３２に表示する（ステップＳ５４）。
【００５０】
図１０は、ステップＳ５４で表示された決済選択画面９２の一例である。図１０において、制御部１００は、表示部３２に、業務の種類を示す業務キー８１、８２、８３、８４、８５を表示する。また制御部１００は、決済項目の種類をエリア９１に表示する。図１０の例では、制御部１００は、エリア９１に、クレジット決済８６、デビット決済８７、の２種類の決済項目を表示している。ＸＹカード決済８８と電子マネー決済８９の決済項目は、ステップＳ２２において表示することを禁止したため、図１０では表示されない。クレジット決済とデビット決済は、利用率が高いが、ＸＹカードと電子マネーでの決済の利用率は低いため、実施形態の決済端末は、ＰＯＳ端末２から決済コマンドを受信した場合、クレジット決済とデビット決済の２種類の決済を使用可能である。
【００５１】
操作者は、表示部３２に表示されたクレジット決済８６のキーとデビット決済８７のキーとから、顧客が希望する決済項目をタッチして操作する。すると、制御部１００は、操作された決済項目を選択する。そして制御部１００は、メモリ部５４から、選択された決済項目に対応した決済処理プログラムを読み出して起動する。操作者は、指示されたタイミングでカード読取部３４にカードを通す。すると制御部１００は、顧客が希望する決済処理を実行する。
【００５２】
図８の説明に戻る。また、ステップＳ４１において、決済コマンドを受信していないと判断した場合は（ステップＳ４１のＮｏ）、制御部１００は、表示部３２に表示された決済選択画面９２を操作して、特定の決済項目キーが操作されて決済項目が選択されたか否かを判断する（ステップＳ６１）。特定の決済が選択されたと判断した場合は（ステップＳ６１のＹｅｓ）、制御部１００（決済実行手段１０４）は、選択された決済項目に対応した決済処理プログラムをメモリ部５４から読み出して起動し、当該プログラムに従って選択された決済の決済処理を実行する（ステップＳ６２）。
【００５３】
すなわち、決済コマンドを受信した後、表示された決済選択画面９２において特定の決済項目キーが操作された場合、制御部１００は、選択された決済項目に対応した決済処理プログラムに従って決済処理を実行する。
【００５４】
なお、特定の決済が選択されていないと判断した場合は、制御部１００は、ステップＳ４１に戻って待機する。
【００５５】
このような実施形態によれば、所定の決済項目の選択を禁止し、禁止した決済項目の表示部３２への表示を禁止したので、決済処理を実行するときに、操作者の負担を軽減することができる。
【００５６】
また、実施形態では、クレジット決済以外の決済の選択を一括禁止した場合、決済コマンドを受信したときに、決済選択画面９２を表示せず、そのままクレジット決済の処理を実行するようにしたので、操作者は、決済選択画面９２から決済する決済項目を選択する操作を省くことができるため、操作者の負担を軽減することができる。
【００５７】
また、実施形態では、利用頻度が低い決済項目の表示部３２への表示を個別に禁止し、主に使用される決済項目のみを表示するようにしたので、決済処理を実行するときに、操作者の負担を軽減することができる。
【００５８】
また、実施形態では、新たな決済処理プログラムを追加可能した場合、当該プログラムに対応した決済項目を表示することができる。
【００５９】
また、実施形態では、決済コマンドを受信したことを示すコマンド受信表示９０を行うため、操作者は決済コマンドの受信を確認することができる。
【００６０】
なお、実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６１】
例えば、実施形態では、クレジット決済以外の決済の選択を禁止した場合、決済コマンドを受信したときに、決済選択画面９２を表示せず、そのままクレジット決済の処理を実行するようにしたが、クレジットに限らず、特定の一つの決済以外の決済の選択を禁止した場合に、当該一つの決済の処理を実行するようにしてもよい。
【００６２】
また、実施形態では、ＸＹカード決済と電子マネー決済を個別に指定して禁止したが、他の決済を指定して禁止するように指定してもよい。
【００６３】
実施形態の決済端末３で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６４】
また、実施形態の決済端末３で実行されるプログラムを、インターネット等のネットワークに接続されたコンピュータ上に格納し、ネットワーク経由でダウンロードさせることにより提供するように構成してもよい。また、決済端末３のオーダー端末で実行されるプログラムをインターネット等のネットワーク経由で提供または配布するように構成してもよい。
【００６５】
また、実施形態の決済端末３で実行されるプログラムを、ＲＯＭ等に予め組み込んで提供するように構成してもよい。
【符号の説明】
【００６６】
３２  表示部
１００  制御部
１０１  表示禁止指示手段
１０２  表示制御手段
１０３  受信判断手段
１０４  決済実行手段
１０５  一括禁止指示手段
１０６  コマンド受信表示手段
【先行技術文献】
【特許文献】
【００６７】
【特許文献１】特開２０１１−４８４８７号公報
【図１】
2015032021.tif 000003
【図２】
2015032021.tif 000004
【図３】
2015032021.tif 000005
【図４】
2015032021.tif 000006
【図５】
2015032021.tif 000007
【図６】
2015032021.tif 000008
【図７】
2015032021.tif 000009
【図８】
2015032021.tif 000010
【図９】
2015032021.tif 000011
【図１０】
2015032021.tif 000012